(57)【要約】      （修正有）【課題】点検すべき点検項目を点検担当者に認識させることのできるプラント運転システムを提供する。【解決手段】通知装置２０は、プラント１０の異常に関する状態及び前記プラントの異常に関する要因を推定する異常推定部と、前記異常推定部が推定した前記プラントの異常及び前記プラントの異常に関する要因に関する状態に基づいて点検項目を特定する項目特定部と、前記項目特定部が特定した前記点検項目を通知する通知部と、前記項目特定部が特定した前記点検項目のうち停止時に確認すべき前記点検項目を特定する停止時項目特定部と、前記通知部が通知した前記点検項目についての確認結果を受ける確認結果取得部と、前記停止時に確認すべき前記点検項目を出力する停止時項目出力部と、を備える。【選択図】図１
2020024568.tif 000002
【特許請求の範囲】
【請求項１】
プラントの異常に関する状態及び前記プラントの異常に関する要因を推定する異常推定部と、
前記異常推定部が推定した前記プラントの異常に関する状態及び前記プラントの異常に関する要因に基づいて点検項目を特定する項目特定部と、
前記項目特定部が特定した前記点検項目を通知する通知部と、
前記項目特定部が特定した前記点検項目のうち停止時に確認すべき前記点検項目を特定する停止時項目特定部と、
前記通知部が通知した前記点検項目についての確認結果を受ける確認結果取得部と、
前記停止時に確認すべき前記点検項目を出力する停止時項目出力部と、
を備える通知装置。
【請求項２】
前記停止時項目特定部は、
前記確認結果に基づいて前記停止時に確認すべき前記点検項目を特定する、
請求項１に記載の通知装置。
【請求項３】
前記停止時に確認すべき前記点検項目を予め記憶する記憶部、
を備え、
前記停止時項目特定部は、
前記記憶部が予め記憶する前記停止時に確認すべき前記点検項目に基づいて、前記停止時に確認すべき前記点検項目を特定する、
請求項１に記載の通知装置。
【請求項４】
前記確認結果に基づいて、前記プラントの異常に関する要因の発生確度を修正する学習部、
を備える請求項１に記載の通知装置。
【請求項５】
前記異常推定部は、
前記プラントに設けられたセンサが検出したセンサ値に基づいて、前記プラントの異常に関する状態を推定し、
前記プラントの異常に関する状態と前記学習部で修正した前記発生確度を基に前記プラントの異常に関する要因を特定する、
請求項４に記載の通知装置。
【請求項６】
前記センサ値は、
前記センサが検出した過去のセンサ値を含む、
請求項５に記載の通知装置。
【請求項７】
ウェブサイト上に表示させるウェブサイト情報のうち前記項目特定部が特定した前記点検項目に係るウェブサイト情報を更新する情報更新部、
を備える請求項１から請求項６の何れか一項に記載の通知装置。
【請求項８】
前記確認結果に係るログ情報に基づいて、前記点検項目について確認した確認順を特定する確認順特定部と、
前記確認順に基づいて、前記点検項目の表示する優先度を決定する優先度決定部と、
を備える請求項１から請求項７の何れか一項に記載の通知装置。
【請求項９】
プラントの異常に関する状態及び前記プラントの異常に関する要因を推定することと、
推定した前記プラントの異常に関する状態及び前記プラントの異常に関する要因に基づいて点検項目を特定することと、
特定した前記点検項目を通知することと、
特定した前記点検項目のうち停止時に確認すべき前記点検項目を特定することと、
通知した前記点検項目についての確認結果を受けることと、
前記停止時に確認すべき前記点検項目を出力することと、
を含む通知方法。
【請求項１０】
前記確認結果に基づいて前記停止時に確認すべき前記点検項目を特定することを含む、
請求項９に記載の通知方法。
【請求項１１】
前記停止時に確認すべき前記点検項目を予め記憶することと、
予め記憶する前記停止時に確認すべき前記点検項目に基づいて、前記停止時に確認すべき前記点検項目を特定することと、
を含む請求項９に記載の通知方法。
【請求項１２】
前記確認結果に基づいて、前記プラントの異常に関する要因の発生確度を修正すること、
を含む請求項９に記載の通知方法。
【請求項１３】
前記確認結果に係るログ情報に基づいて、前記点検項目について確認した確認順を特定することと、
前記確認順に基づいて、前記点検項目の表示する優先度を決定することと、
を含む請求項９から請求項１２の何れか一項に記載の通知方法。
【請求項１４】
コンピュータに、
プラントの異常に関する状態及び前記プラントの異常に関する要因を推定することと、
推定した前記プラントの異常に関する状態及び前記プラントの異常に関する要因に基づいて点検項目を特定することと、
特定した前記点検項目を通知することと、
特定した前記点検項目のうち停止時に確認すべき前記点検項目を特定することと、
通知した前記点検項目についての確認結果を受けることと、
前記停止時に確認すべき前記点検項目を出力することと、
を実行させるプログラム。
【発明の詳細な説明】
【技術分野】
【０００１】
本発明は、通知装置、通知方法及びプログラムに関する。
【背景技術】
【０００２】
ガスタービンなどを備えるプラントは、一度大きな不具合が発生すると復旧までに時間と費用が掛かることが多い。そのため、普段から異常の予兆を検出することが行われることが多い。
特許文献１には、関連する技術として、プラントの運転を監視し異常の原因を推定して外部に知らせる技術が記載されている。
【先行技術文献】
【特許文献】
【０００３】
【特許文献１】特開平１１−１１００３６号公報
【発明の概要】
【発明が解決しようとする課題】
【０００４】
ところで、ガスタービンなどを備えるプラントでは、異常や異常の予兆と考えられるプラントの状態を検出した場合であっても、プラントを運転しながら比較的容易に異常の有無を確認できる点検項目と、プラントを停止させなければ異常の有無を確認することのできない点検項目とがある。したがって、異常や異常の予兆と考えられる状態を検出したからといって、すべての点検項目を直ちに確認できるわけではない。そのため、異常や異常の予兆と考えられる状態を検出した場合に、点検項目のうちの一部のみを確認する作業が繰り返されると、確認していない点検項目がさまざまな情報に埋もれてしまい、どの点検項目を確認しなければならないのかがわからなくなってしまう可能性がある。
【０００５】
本発明は、上記の課題を解決することのできる通知装置、通知方法及びプログラムを提供することを目的としている。
【課題を解決するための手段】
【０００６】
本発明の第１の態様によれば、通知装置は、プラントの異常に関する状態及び前記プラントの異常に関する要因を推定する異常推定部と、前記異常推定部が推定した前記プラントの異常に関する状態及び前記プラントの異常に関する要因に基づいて点検項目を特定する項目特定部と、前記項目特定部が特定した前記点検項目を通知する通知部と、前記項目特定部が特定した前記点検項目のうち停止時に確認すべき前記点検項目を特定する停止時項目特定部と、前記通知部が通知した前記点検項目についての確認結果を受ける確認結果取得部と、前記停止時に確認すべき前記点検項目を出力する停止時項目出力部と、を備える。
【０００７】
本発明の第２の態様によれば、第１の態様による通知装置において、前記停止時項目特定部は、前記確認結果に基づいて前記停止時に確認すべき前記点検項目を特定するものであってもよい。
【０００８】
本発明の第３の態様によれば、第１の態様による通知装置は、前記停止時に確認すべき前記点検項目を予め記憶する記憶部、を備え、前記停止時項目特定部は、前記記憶部が予め記憶する前記停止時に確認すべき前記点検項目に基づいて、前記停止時に確認すべき前記点検項目を特定するものであってもよい。
【０００９】
本発明の第４の態様によれば、第１の態様による通知装置は、前記確認結果に基づいて、前記プラントの異常に関する要因の発生確度を修正する学習部、を備えるものであってもよい。
【００１０】
本発明の第５の態様によれば、第４の態様における通知装置において、前記異常推定部は、前記プラントに設けられたセンサが検出したセンサ値に基づいて、前記プラントの異常に関する状態を推定し、前記プラントの異常に関する状態と前記学習部で修正した前記発生確度を基に前記プラントの異常に関する要因を特定するものであってもよい。
【００１１】
本発明の第６の態様によれば、第５の態様による通知装置において、前記センサ値は、前記センサが検出した過去のセンサ値を含むものであってもよい。
【００１２】
本発明の第７の態様によれば、第１の態様から第６の態様の何れか１つの通知装置は、ウェブサイト上に表示させるウェブサイト情報のうち前記項目特定部が特定した前記点検項目に係るウェブサイト情報を更新する情報更新部、を備えるものであってもよい。
【００１３】
本発明の第８の態様によれば、第１の態様から第７の態様の何れか１つの通知装置は、前記確認結果に係るログ情報に基づいて、前記点検項目について確認した確認順を特定する確認順特定部と、前記確認順に基づいて、前記点検項目の表示する優先度を決定する優先度決定部と、を備えるものであってもよい。
【００１４】
本発明の第９の態様によれば、通知方法は、プラントの異常に関する状態及び前記プラントの異常に関する要因を推定することと、推定した前記プラントの異常に関する状態及び前記プラントの異常に関する要因に基づいて点検項目を特定することと、特定した前記点検項目を通知することと、特定した前記点検項目のうち停止時に確認すべき前記点検項目を特定することと、通知した前記点検項目についての確認結果を受けることと、前記停止時に確認すべき前記点検項目を出力することと、を含む。
【００１５】
本発明の第１０の態様によれば、第９の態様による通知方法は、前記確認結果に基づいて前記停止時に確認すべき前記点検項目を特定することを含むものであってもよい。
【００１６】
本発明の第１１の態様によれば、第９の態様による通知方法は、前記停止時に確認すべき前記点検項目を予め記憶することと、予め記憶する前記停止時に確認すべき前記点検項目に基づいて、前記停止時に確認すべき前記点検項目を特定することと、を含むものであってもよい。
【００１７】
本発明の第１２の態様によれば、第９の態様による通知方法は、前記確認結果に基づいて、前記プラントの異常に関する要因の発生確度を修正すること、を含むものであってもよい。
【００１８】
本発明の第１３の態様によれば、第９の態様から第１２の態様の何れか１つの通知方法は、前記確認結果に係るログ情報に基づいて、前記点検項目について確認した確認順を特定することと、前記確認順に基づいて、前記点検項目の表示する優先度を決定することと、を含むものであってもよい。
【００１９】
本発明の第１４の態様によれば、プログラムは、コンピュータに、プラントの異常に関する状態及び前記プラントの異常に関する要因を推定することと、推定した前記プラントの異常に関する状態及び前記プラントの異常に関する要因に基づいて点検項目を特定することと、特定した前記点検項目を通知することと、特定した前記点検項目のうち停止時に確認すべき前記点検項目を特定することと、通知した前記点検項目についての確認結果を受けることと、前記停止時に確認すべき前記点検項目を出力することと、を実行させる。
【発明の効果】
【００２０】
本発明の実施形態による通知装置、通知方法及びプログラムによれば、点検すべき点検項目を点検担当者に認識させることができる。
【図面の簡単な説明】
【００２１】
【図１】本発明の第１実施形態によるプラント管理システムの構成を示す図である。
【図２】本発明の第１実施形態によるプラントの構成を示す図である。
【図３】本発明の第１実施形態による通知装置の構成を示す図である。
【図４】本発明の第１実施形態における第１データテーブルを示す図である。
【図５】本発明の第１実施形態におけるメールの表示画面を示す図である。
【図６】本発明の第１実施形態におけるメールの発信タイミングを示す図である。
【図７】本発明の第１実施形態におけるウェブサイト上の表示画面を示す第１の図である。
【図８】本発明の第１実施形態におけるウェブサイト上の表示画面を示す第２の図である。
【図９】本発明の第１実施形態による端末装置の構成を示す図である。
【図１０】本発明の第１実施形態におけるウェブサイト上の表示画面を示す第３の図である。
【図１１Ａ】本発明の第１実施形態によるプラント管理システムの処理フローを示す第１の図である。
【図１１Ｂ】本発明の第１実施形態によるプラント管理システムの処理フローを示す第２の図である。
【図１１Ｃ】本発明の第１実施形態によるプラント管理システムの処理フローを示す第３の図である。
【図１２】本発明の第２実施形態によるプラント管理システムの処理フローを示す図である。
【図１３】少なくとも１つの実施形態に係るコンピュータの構成を示す概略ブロック図である。
【発明を実施するための形態】
【００２２】
＜第１実施形態＞
以下、図面を参照しながら実施形態について詳しく説明する。
本発明の第１実施形態によるプラント管理システム１の構成について説明する。
プラント管理システム１は、プラントの停止時に確認すべき点検項目を特定し出力することで、プラントの停止時の点検項目に漏れがないようにするシステムである。プラントは、例えば、ガスタービンを用いて発電するプラントである。
また、プラント管理システム１は、プラントがプラントの異常に関する状態（例えば、プラントの異常状態、プラントの異常の予兆を示す状態など）にあるか否かをプラントに設けられたセンサの検出する状態量に基づいて判定するシステムであって、プラント管理システム１は、プラントがプラントの異常に関する状態にあると判定した場合、プラントがプラントの異常に関する状態になる各要因について、プラント管理者が実際に確認した確認結果に基づいて、その各要因によりプラントがプラントの異常に関する状態となる発生確度を修正するシステムである。また、プラント管理システム１は、点検項目についての確認状況に応じて、プラント管理者に通知される点検項目についての表示を変更するシステムである。
【００２３】
プラント管理システム１は、図１に示すように、プラント１０、通知装置２０、端末装置３０を備える。
プラント１０は、例えば、プラント管理者が有する発電設備である。プラント１０は、図２に示すように、センサ１０１ａ１、１０１ａ２、１０１ａ３、・・・、１０１ａｎ、データ送信部１０２を備える。センサ１０１ａ１、１０１ａ２、１０１ａ３、・・・、１０１ａｎを総称してセンサ１０１と呼ぶ。
【００２４】
センサ１０１は、プラント１０における状態量を検出する。状態量とは、プラント１０の異常を推定するときに用いられる物理量のことであり、例えば、温度、圧力などである。以下、センサ１０１が検出した状態量を「センサ値」と記載する。センサ１０１のそれぞれは、検出したセンサ値をデータ送信部１０２に出力する。
【００２５】
データ送信部１０２は、センサ１０１それぞれからセンサ値を受ける。データ送信部１０２は、受けたセンサ値を通知装置２０に送信する。
【００２６】
通知装置２０は、図３に示すように、記憶部２０１、異常推定部２０２、項目特定部２０３、情報更新部２０４、通知部２０５、停止時項目特定部２０６、確認結果取得部２０７、学習部２０８、停止時項目出力部２０９、通知表示変更部２１０、確認順特定部２１１、優先度決定部２１２を備える。通知装置２０は、例えば、プラント１０をプラント管理者に提供しプラント１０の定期点検を行う業者が有する装置である。
【００２７】
記憶部２０１は、通知装置２０の行う処理に必要な種々の情報を記憶する。例えば、記憶部２０１は、プラント１０が正常に動作している状態において得られた過去のプラント１０のセンサ値をマハラノビス距離の単位空間として記憶する。また、記憶部２０１は、図４に示す第１データテーブルＴＢＬ１を記憶する。第１データテーブルＴＢＬ１は、要因と、点検項目とを関連付けたデータテーブルである。また、記憶部２０１は、プラント１０の異常に関する状態ごとに、プラント１０がプラント１０の異常に関する状態となり得る各要因と、当該要因の発生確度とを関連付けて記憶する。
【００２８】
異常推定部２０２は、プラント１０の異常に関する状態を推定する。例えば、異常推定部２０２は、データ送信部１０２からセンサ１０１それぞれのセンサ値を受ける。また、異常推定部２０２は、プラント１０に対する指令値を取得する。異常推定部２０２は、受けたセンサ値及びプラント１０に対する指令値に基づいて、マハラノビス・タグチ法を用いて、マハラノビス距離を算出する。異常推定部２０２は、マハラノビス距離が所定のしきい値（例えば、３．５）以上である場合に、プラント１０がプラント１０の異常に関する状態となっていると判定する。しきい値には、通常３以上の値が設定される。
異常推定部２０２は、プラント１０がプラント１０の異常に関する状態となっていると判定した場合、受けたセンサ値及びプラント１０に対する指令値に基づいてマハラノビス・タグチ法に係るＳＮ比（Ｓｉｇｎａｌ−Ｎｏｉｓｅ  Ｒａｔｉｏ）を算出する。すなわち、異常推定部２０２は、直交表分析による項目有無の望大ＳＮ比を求める。ＳＮ比が大きいほど、センサ値及び指令値の項目に異常がある可能性が高いと判断できる。異常推定部２０２は、算出したＳＮ比に基づいて、プラント１０がプラント１０の異常に関する状態となる要因それぞれの尤度を算出する。プラント１０がガスタービンを用いて発電するプラントである場合、要因としては、ガスタービン効率の低下、圧縮機効率の低下、タービン効率の低下、圧縮機入口空気量の低下、排気温度の上昇、圧縮機圧縮比の低下、燃料効率の低下、タービン入口ガス温度の上昇、排気ガス圧力の上昇などが挙げられる。例えば、異常推定部２０２は、プラント１０の異常に関する状態ごとに、各要因について、当該要因の記憶部２０１に記憶された発生確度とＳＮ比の加重和を算出することで、各要因の尤度を算出する。
【００２９】
項目特定部２０３は、異常推定部２０２が推定するプラント１０の異常に関する状態に基づいて点検項目を特定する。例えば、項目特定部２０３は、異常推定部２０２から要因を受ける。項目特定部２０３は、記憶部２０１の記憶する第１データテーブルＴＢＬ１において、受けた要因に関連付けられた点検項目を特定する。項目特定部２０３は、特定した点検項目を示す点検項目情報を情報更新部２０４及び通知部２０５に出力する。
【００３０】
情報更新部２０４は、ウェブサイト上に表示させるウェブサイト情報を更新する。例えば、情報更新部２０４は、項目特定部２０３から点検項目情報を受ける。情報更新部２０４は、受けた点検項目情報によって示される点検項目のすべての点検項目について、ウェブサイト上に表示させるウェブサイト情報を更新する。
【００３１】
通知部２０５は、項目特定部２０３が特定した点検項目を通知する。例えば、通知部２０５は、項目特定部２０３が特定した点検項目のうち点検時期がプラント１０の停止時（例えば、定期点検の時期）でなくてよい点検項目を少なくとも通知する。具体的には、通知部２０５は、項目特定部２０３から点検項目情報を受ける。通知部２０５は、受けた点検項目情報によって示される点検項目のうち、すべての点検項目を電子メールで端末装置３０に送信する。電子メールは、例えば、図５に示すように、送信日時、点検項目の推定情報、リンク先のウェブサイトのアドレスなどの情報を含む。このように通知部２０５が電子メールを端末装置３０に送信することにより、点検項目がプラント管理者に通知される。また、プラント管理者はウェブサイトにアクセスすることで、各点検項目について現在の確認状況の詳細を知ることができる。なお、通知する点検項目が直近に通知した点検項目にない場合、または、通知する点検項目に直近に通知した点検項目が含まれていても、直近に通知して以降プラント１０の異常に関する状態から正常状態に１度でも改善された場合（すなわち、異常推定部２０２がプラント１０全体として異常に関する状態を判定するために算出したプラント１０全体についてのマハラノビス距離が、正常状態を示す値の範囲内である場合）には、通知部２０５がそれらの点検項目について端末装置３０に送信するメールは、新規メールを示すフラグを有する新規メールとなる。また、通知する点検項目に直近に通知した点検項目が含まれており、直近に通知して以降プラント１０の異常に関する状態が継続されている場合には、通知部２０５がそれらの点検項目について端末装置３０に送信するメールは、リマインドメールを示すフラグを有するリマインドメールとなる。リマインドメールを示すフラグには、メール送信後から現在まで、マハラノビス距離が所定のしきい値未満になったことのない点検項目を含む送信メールと同様のフラグを含んでいる。
図６に示すように、例えば、時間ＡＡ：ＡＡ、ＢＢ：ＢＢ、ＣＣ：ＣＣ、ＤＤ：ＤＤに送信したメールの場合、いずれもマハラノビス距離の値がしきい値を超えており、かつ、その間にマハラノビス距離の値がしきい値以下となることはない（すなわち、プラント１０の異常に関する状態から正常状態になることは１度もない）。
【００３２】
停止時項目特定部２０６は、項目特定部２０３が特定した点検項目のうちプラント１０の停止時に確認すべき点検項目を特定する。例えば、停止時項目特定部２０６は、プラント管理者が電子メールに記載のリンク先のウェブサイトにアクセスして「保留」と入力した点検項目をプラント１０の停止時に確認すべき点検項目と特定する。
【００３３】
確認結果取得部２０７は、通知部２０５が端末装置３０に通知する点検項目についての確認結果を取得する。例えば、プラント管理者が、端末装置３０を用いて、電子メールに記載のリンク先のウェブサイトにアクセスして、プラント１０がプラント１０の異常に関する状態となり得る図７に示す各要因（図７では、要因１〜３）を確認する。そして、プラント管理者は、プラント１０において、実際に異常（異常の予兆を含む）の有無を確認する。プラント管理者は、端末装置３０において、図７に記載されている各要因のリンク先（図７では「詳細ページへのリンク付き」と記載）をタップする操作を行う。入力部３０４は、タップする操作に応じた指令を表示制御部３０３に出力する。表示制御部３０３は、入力部３０４からの指令に基づいて、図８に示すリンク先の画面を表示部３０２に表示させる。プラント管理者は、この図８に示す確認結果の入力画面において「異常無し」、「異常有り」、「保留」の何れかを選択する操作を行う。例えば、プラント管理者は、プラント１０に異常がなかった場合、「異常無し」を選択する操作を行う。また、プラント管理者は、プラント１０に異常があった場合、「異常有り」を選択する操作を行う。
また、プラント管理者は、プラント１０を停止させなければ点検項目について異常の有無を確認できない場合に「保留」を選択する操作を行う。プラント管理者は、これらの確認結果の選択時に、登録者名を入力し、必要に応じてコメント欄にコメントを記入し、登録ボタンをタップすることで端末装置３０を介して確認結果を登録することができる。このとき、端末装置３０は、確認結果「異常有り」、「異常無し」、「保留」を確認結果取得部２０７に送信する。確認結果取得部２０７は、端末装置３０から確認結果「異常有り」、「異常無し」、「保留」を取得する。
確認結果取得部２０７は、取得した「異常有り」及び「異常無し」の確認結果を学習部２０８に出力する。また、確認結果取得部２０７は、取得した「異常有り」、「異常無し」、「保留」の確認結果を通知表示変更部２１０に出力する。
【００３４】
学習部２０８は、確認結果取得部２０７から「異常有り」及び「異常無し」の確認結果を受ける。学習部２０８は、確認結果取得部２０７から受けた「異常有り」及び「異常無し」の確認結果に基づいて、発生確度を修正する。確認結果「異常無し」、「異常有り」は、実際にプラント１０の異常に関する状態となる確度を示すものである。そのため、学習部２０８は、確認結果に基づいて発生確度を修正することができ、プラント１０がプラント１０の異常に関する状態となる場合の実際の要因が何であるかをより正確に特定することができる、すなわち、プラント１０の異常に関する状態の推定確度を高めることができる。なお、学習部２０８の行う学習は、ニューラルネットワークなどを用いて繰り返し試行して決定した発生確度を発生確度の補正に適用するものであってもよい。
【００３５】
停止時項目出力部２０９は、プラント１０の停止時に確認すべき点検項目を出力する。例えば、停止時項目出力部２０９は、プラント１０の定期点検時に点検項目をディスプレイ（図示せず）に表示する。このように停止時項目出力部２０９が点検項目をディスプレイに表示することで、点検担当者に点検項目を知らせることができ、点検項目の漏れを防止することができる。
【００３６】
通知表示変更部２１０は、確認結果取得部２０７から、「異常有り」、「異常無し」、「保留」の確認結果を受ける。通知表示変更部２１０は、受けた「異常有り」、「異常無し」、「保留」の確認結果に応じて、端末装置３０において表示される通知部２０５から通知された点検項目の表示を変更する。例えば、通知表示変更部２１０は、点検項目の確認結果が「保留」であった場合、その点検項目に関連する通知を緑色でハイライトにする色データを端末装置３０に送信する。また、通知表示変更部２１０は、点検項目の確認結果が「異常有り」であった場合、その点検項目に関連する通知を赤色でハイライトにする色データを端末装置３０に送信する。また、通知表示変更部２１０は、点検項目の確認結果が「異常無し」であった場合、その点検項目に関連する通知を青色でハイライトにする色データを端末装置３０に送信する。
【００３７】
確認順特定部２１１は、確認結果に係るログ情報に基づいて、点検項目について確認した確認順を特定する。この確認順特定部２１１によって、プラント管理者が点検項目についてどのように確認したかを知ることができる。
優先度決定部２１２は、確認順特定部２１１による確認順に基づいて、点検項目の表示する優先度を決定する。この優先度決定部２１２によって、例えばプラント管理者が重要視している点検項目がわかり、その点検項目を優先的に表示させることができる。
【００３８】
端末装置３０は、図９に示すように、通信部３０１、表示部３０２、表示制御部３０３、入力部３０４、データベース書込部３０５、表示変更受付部３０６を備える。
通信部３０１は、通知装置２０と通信を行う。例えば、通信部３０１は、点検項目のうち点検時期がプラント１０の停止時でなくてよい点検項目を少なくとも含む通知を通知装置２０から受ける。
【００３９】
表示部３０２は、通知装置２０から受信する通知を表示する。表示部３０２が表示する通知の表示は、例えば、図５に示すメールである。また、表示部３０２は、ウェブサイトを表示する。例えば、表示部３０２は、図７、図８に示すウェブサイトである。
【００４０】
表示制御部３０３は、表示部３０２の表示を制御する。例えば、表示制御部３０３は、通知装置２０から受信する通知を表示部３０２に表示させる。通信部３０１がリマインドメールとして点検項目の通知を通知装置２０から受信した場合、表示制御部３０３は、点検項目が通知されて以降、１度も正常状態に改善されていない項目についてのリマインドメールについては、例えば、図１０に示すように、その項目ごとに１つのグループにまとめて表示部３０２に表示させる。なお、通知がメールである場合、表示制御部３０３は、例えば、メーラー（メールソフトウェア）を用いてメールを表示部３０２に表示させる。
また、表示制御部３０３は、ウェブサイトを表示部３０２に表示させる。なお、表示制御部３０３は、点検項目の表示を変更する色データを通知表示変更部２１０から受信した場合、受信した色データに応じた色に点検項目の色を変更する。例えば、点検項目の確認結果が「保留」であり、通知表示変更部２１０がその点検項目に関連する通知を緑色でハイライトにする色データを端末装置３０に送信した場合、表示制御部３０３は、表示部３０２において、確認結果が「保留」となっている点検項目を緑色でハイライトさせる。また、点検項目の確認結果が「異常有り」であり、通知表示変更部２１０がその点検項目に関連する通知を赤色でハイライトにする色データを端末装置３０に送信した場合、表示制御部３０３は、表示部３０２において、確認結果が「異常有り」となっている点検項目を赤色でハイライトさせる。また、点検項目の確認結果が「異常無し」であり、通知表示変更部２１０がその点検項目に関連する通知を青色でハイライトにする色データを端末装置３０に送信した場合、表示制御部３０３は、表示部３０２において、確認結果が「異常無し」となっている点検項目を青色でハイライトさせる。
【００４１】
入力部３０４は、プラント管理者による入力部３０４への操作を受け付ける。入力部３０４は、受け付けた操作に応じた指令を出力する。例えば、入力部３０４は、タッチセンサであり、プラント管理者が表示部３０２に表示された「異常有り」、「異常無し」、「保留」の確認結果のうちの何れかをタップすることで、入力部３０４は、プラント管理者によってタップされた確認結果を選択したことを示す指令を表示制御部３０３へ出力する。
【００４２】
データベース書込部３０５は、過去の要因とその要因の発生確度とのデータが蓄積されているデータベースに、今回の要因とその要因の発生確度とを関連付けて書き込む。データベース書込部３０５は、今回の要因とその要因の発生確度とを関連付けてデータベースに書き込んだことを確認結果取得部２０７に報知する。
【００４３】
表示変更受付部３０６は、色指令と点検項目との組み合わせに基づいて、点検項目とその点検項目を表示させる色とを特定する。表示変更受付部３０６は、特定した点検項目を特定した色で表示させる表示指令を表示制御部３０３に出力する。表示制御部３０３は、表示指令に基づいて、点検項目を所定の色で表示部３０２に表示させる。
【００４４】
次に、本発明の第１実施形態によるプラント管理システム１の処理について図１１Ａ、１１Ｂを用いて説明する。
各センサ１０１は、プラント１０の状態量を検出する。データ送信部１０２は、各センサ１０１の検出するプラント１０の状態量を通知装置２０に送信する。
異常推定部２０２は、プラント１０のデータを取得する（ステップＳ１）。具体的には、異常推定部２０２は、データ送信部１０２からセンサ１０１それぞれのセンサ値を受ける。また、異常推定部２０２は、プラント１０に対する指令値を取得する。
異常推定部２０２は、プラント１０の異常に関する状態を算出する（ステップＳ２）。具体的には、異常推定部２０２は、受けたセンサ値及びプラント１０に対する指令値に基づいて、マハラノビス・タグチ法を用いて、マハラノビス距離を算出する。
異常推定部２０２は、プラント１０がプラント１０の異常に関する状態にあるか否かを判定する（ステップＳ３）。具体的には、異常推定部２０２は、マハラノビス距離と、所定のしきい値とを比較する。異常推定部２０２は、マハラノビス距離が所定のしきい値以上であると判定した場合、プラント１０がプラント１０の異常に関する状態にあると判定する。また、異常推定部２０２は、マハラノビス距離が所定のしきい値未満であると判定した場合、プラント１０がプラント１０の異常に関する状態にないと判定する。
異常推定部２０２は、プラント１０がプラント１０の異常に関する状態にないと判定した場合（ステップＳ３においてＮＯ）、ステップＳ１の処理に戻す。
また、異常推定部２０２は、プラント１０がプラント１０の異常に関する状態となっていると判定した場合（ステップＳ３においてＹＥＳ）、プラント１０がプラント１０の異常に関する状態となる要因を推定する（ステップＳ４）。例えば、異常推定部２０２は、受けたセンサ値及び指令値に基づいてマハラノビス・タグチ法に係るＳＮ比を算出する。異常推定部２０２は、算出したＳＮ比に基づいて、プラント１０の異常に関する状態となる要因それぞれの尤度を算出する。具体的には、異常推定部２０２は、プラント１０の異常に関する状態ごとに、各要因について当該要因の記憶部２０１に記憶された発生確度とＳＮ比の加重和を算出することで、尤度を算出する。
異常推定部２０２は、尤度の高い順に要因を特定する。異常推定部２０２は、特定した要因を項目特定部２０３に出力する。
【００４５】
項目特定部２０３は、点検項目を特定する（ステップＳ５）。具体的には、項目特定部２０３は、異常推定部２０２から要因を受ける。項目特定部２０３は、記憶部２０１の記憶する第１データテーブルＴＢＬ１において、受けた要因に関連付けられた点検項目を特定する。項目特定部２０３は、特定した点検項目を示す点検項目情報を情報更新部２０４及び通知部２０５に出力する。
【００４６】
情報更新部２０４は、ウェブサイト上に表示させるウェブサイト情報を更新する（ステップＳ６）。例えば、情報更新部２０４は、項目特定部２０３から点検項目情報を受ける。情報更新部２０４は、受けた点検項目情報によって示される点検項目のすべての点検項目について、ウェブサイト上に表示させるウェブサイト情報を更新する。
【００４７】
通知部２０５は、項目特定部２０３が特定した点検項目を通知する（ステップＳ７）。例えば、通知部２０５は、項目特定部２０３が特定した点検項目のうち点検時期がプラント１０の停止時（例えば、定期点検の時期）でなくてよい点検項目を少なくとも通知する。具体的には、通知部２０５は、項目特定部２０３から点検項目情報を受ける。通知部２０５は、受けた点検項目情報によって示される点検項目のすべての点検項目を電子メールで端末装置３０に送信する。このように通知部２０５が電子メールを端末装置３０に送信することにより、点検項目がプラント管理者に通知される。また、プラント管理者は端末装置３０を介してウェブサイトにアクセスすることで、各点検項目について現在の確認状況の詳細を知ることができる。
【００４８】
表示制御部３０３は、通知装置２０から通信部３０１を介して点検項目の通知を受信する（ステップＳ８）。表示制御部３０３は、受信した点検項目の通知を表示部３０２に表示させる（ステップＳ９）。このとき、表示部３０２が表示する表示画面は、例えば、図６に示すメール画面である。
【００４９】
プラント管理者は、表示部３０２に表示される通知、例えば、図６に示すメール画面におけるリンク先をタップする操作を入力部３０４に対して行う。入力部３０４は、プラント管理者によるタップ操作に応じてリンク先をタップする指令を表示制御部３０３に出力する。表示制御部３０３は、リンク先をタップする指令に応じて、リンク先であるウェブサイト上の画面、例えば、図８に示す画面を表示する。プラント管理者は、図８に示す画面において、「詳細ページへのリンク付き」をタップする操作を行う。入力部３０４は、タップする操作に応じた指令を表示制御部３０３に出力する。表示制御部３０３は、入力部３０４からの指令に基づいて、図９に示すリンク先の画面を表示部３０２に表示させる。プラント管理者は、この図９に示す確認結果の入力画面において点検項目（図９では「確認項目」と記載）が現在確認できる項目であるか否かを判定する（ステップＳ１０）。
【００５０】
プラント管理者は、点検項目が現在確認できる項目であると判定した場合（ステップＳ１０においてＹＥＳ）、プラント１０に異常があるか否かを判定する（ステップＳ１１）。
プラント管理者は、プラント１０に異常があると判定した場合（ステップＳ１１においてＹＥＳ）、入力部３０４に対して「異常有り」を選択する操作を行い、データベース書込部３０５は、点検項目に「異常有り」を登録する（ステップＳ１２）。データベース書込部３０５は、過去の要因とその要因の発生確度とのデータが蓄積されているデータベースに、今回の要因とその要因の発生確度とを関連付けて書き込む（ステップＳ１３）。
また、プラント管理者は、プラント１０に異常がないと判定した場合（ステップＳ１１においてＮＯ）、入力部３０４に対して「異常無し」を選択する操作を行い、データベース書込部３０５は、点検項目に「異常無し」を登録する（ステップＳ１４）。データベース書込部３０５は、過去の要因とその要因の発生確度とのデータが蓄積されているデータベースに、今回の要因とその要因の発生確度とを関連付けて書き込む（ステップＳ１５）。
【００５１】
また、プラント管理者は、点検項目が現在確認できる項目でない、すなわち、プラント１０を停止させなければ点検できない項目であると判定した場合（ステップＳ１０においてＮＯ）、入力部３０４に対して「保留」（ペンディング）を選択する操作を行い、データベース書込部３０５は、点検項目に「保留」を登録する（ステップＳ１６）。
【００５２】
ここで、データベース書込部３０５は、確認結果「異常有り」、「異常無し」、「保留」を通知装置２０に送信する（ステップＳ１７）。確認結果取得部２０７は、端末装置３０から確認結果「異常有り」、「異常無し」、「保留」を取得する（ステップＳ１８）。
確認結果取得部２０７は、取得した「異常有り」及び「異常無し」の確認結果を学習部２０８に出力する。また、確認結果取得部２０７は、取得した「異常有り」、「異常無し」、「保留」の確認結果を通知表示変更部２１０に出力する。
【００５３】
学習部２０８は、確認結果取得部２０７から「異常有り」及び「異常無し」の確認結果を受ける。学習部２０８は、確認結果取得部２０７から受けた「異常有り」及び「異常無し」の確認結果に基づいて、発生確度を修正する（ステップＳ１９）。確認結果「異常無し」、「異常有り」は、実際にプラント１０の異常に関する状態となる確度を示すものである。そのため、学習部２０８は、確認結果に基づいて発生確度を修正することができ、プラント１０がプラント１０の異常に関する状態となる場合の実際の要因が何であるかをより正確に特定することができる、すなわち、プラント１０の異常に関する状態の推定確度を高めることができる。なお、学習部２０８の行う学習は、ニューラルネットワークなどを用いて繰り返し試行して決定した発生確度を発生確度の補正に適用するものであってもよい。
また、プラント管理者が点検項目を確認した確認順を確認結果のログ情報で特定し、特定した確認順に基づき点検項目の優先度を決定することができる（ステップＳ２０）。このことで、異常がある可能性の高い項目を前の方に表示することができ、プラント管理者が重視している項目を優先的に表示できる。
【００５４】
ステップＳ１３、Ｓ１５またはＳ１６の処理が行われた後、通知装置２０は、所定の時間間隔ごとに、ステップＳ１〜Ｓ７の処理を繰り返して、端末装置３０に点検項目を通知する。
このとき、通知する点検項目が直近に通知した点検項目にない場合、または、通知する点検項目に直近に通知した点検項目が含まれていても、直近に通知して以降プラント１０の異常に関する状態から正常状態に１度でも改善された場合には、通知部２０５は、点検項目を端末装置３０に新規メールを示すフラグの付いた新規メールとして送信する。また、通知する点検項目に直近に通知した点検項目が含まれており、直近に通知して以降プラント１０の異常に関する状態が継続されている場合には、通知部２０５は、点検項目を端末装置３０にリマインドメールを示すフラグの付いたリマインドメールとして送信する。
【００５５】
ここでは、通知部２０５は、図１１Ｂに示すステップＳ２１の処理で、リマインドメールのフラグを有するリマインドメールを端末装置３０に送信したとする。
【００５６】
表示制御部３０３は、通知装置２０から通信部３０１を介してリマインドメールを受信する（ステップＳ２２）。表示制御部３０３は、受信したリマインドメールにおけるフラグを読み取る（ステップＳ２３）。表示制御部３０３は、読み取ったフラグが新規メールを示すフラグであるか否かを判定する（ステップＳ２４）。
表示制御部３０３は、読み取ったフラグが新規メールを示すフラグであると判定した場合（ステップＳ２４においてＹＥＳ）、受信したメールを独立させて１つのメールで表示部３０２に表示させる（ステップＳ２５）。
また、表示制御部３０３は、読み取ったフラグが新規メールを示すフラグではない、すなわち、リマインドメールを示すフラグであると判定した場合（ステップＳ２４においてＮＯ）、そのフラグと同一のフラグを有する過去のメールを特定する。そして、表示制御部３０３は、同一のフラグを有する過去のメールと同一のグループとして１つにまとめて表示部３０２に表示させる（ステップＳ２６）。
【００５７】
次に、通知装置２０が端末装置３０の表示を変更する場合の処理について説明する。
通知表示変更部２１０は、確認結果取得部２０７から、「異常有り」、「異常無し」、「保留」の確認結果を取得する（ステップＳ２７）。通知表示変更部２１０は、取得した「異常有り」、「異常無し」、「保留」の確認結果に応じた色で点検項目を端末装置３０に表示させる色指令と点検項目との組み合わせを端末装置３０に送信する（ステップＳ２８）。例えば、通知表示変更部２１０は、点検項目の確認結果が「保留」であった場合、その点検項目に関連する通知を緑色でハイライトにする色指令と点検項目との組み合わせを端末装置３０に送信する。また、通知表示変更部２１０は、点検項目の確認結果が「異常有り」であった場合、その点検項目に関連する通知を赤色でハイライトにする色指令と点検項目との組み合わせを端末装置３０に送信する。また、通知表示変更部２１０は、点検項目の確認結果が「異常無し」であった場合、その点検項目に関連する通知を青色でハイライトにする色指令と点検項目との組み合わせを端末装置３０に送信する。
【００５８】
表示変更受付部３０６は、通知装置２０から色指令と点検項目との組み合わせを受信する（ステップＳ２９）。表示変更受付部３０６は、受けた色指令と点検項目との組み合わせに基づいて、点検項目とその点検項目を表示させる色とを特定する（ステップＳ３０）。表示変更受付部３０６は、特定した点検項目を特定した色で表示させる表示指令を表示制御部３０３に出力する。表示制御部３０３は、表示指令に基づいて、点検項目を所定の色で表示部３０２に表示させる（ステップＳ３１）。
【００５９】
ここで、プラント１０を停止させて点検を行う場合のプラント管理システム１の処理について説明する。
なお、点検担当者は、端末装置３０と同様の端末装置３０ａを使用するものとしてプラント管理システム１の処理について説明する。
停止時項目出力部２０９は、プラント１０の停止時に確認すべき点検項目を出力する（ステップＳ４１）。例えば、停止時項目出力部２０９は、例えば端末装置３０ａの表示部３０２に点検項目を表示させる。これにより、点検担当者は、点検項目を知ることができ、点検項目の漏れを防止することができる。
点検担当者は、プラント１０に異常があるか否かを判定する（ステップＳ４２）。点検担当者は、プラント１０に異常があると判定した場合（ステップＳ４２においてＹＥＳ）、入力部３０４に対して「異常有り」を選択する操作を行い、データベース書込部３０５は、点検項目に「異常有り」を登録する（ステップＳ４３）。データベース書込部３０５は、過去の要因とその要因の発生確度とのデータが蓄積されているデータベースに、今回の要因とその要因の発生確度とを関連付けて書き込む（ステップＳ４４）。
また、点検担当者は、プラント１０に異常がないと判定した場合（ステップＳ４２においてＮＯ）、入力部３０４に対して「異常無し」を選択する操作を行い、データベース書込部３０５は、点検項目に「異常無し」を登録する（ステップＳ４５）。データベース書込部３０５は、過去の要因とその要因の発生確度とのデータが蓄積されているデータベースに、今回の要因とその要因の発生確度とを関連付けて書き込む（ステップＳ４６）。
【００６０】
ここで、データベース書込部３０５は、確認結果「異常有り」、「異常無し」を通知装置２０に送信する（ステップＳ４７）。確認結果取得部２０７は、端末装置３０から確認結果「異常有り」、「異常無し」を取得する（ステップＳ４８）。
確認結果取得部２０７は、取得した「異常有り」及び「異常無し」の確認結果を学習部２０８に出力する。また、確認結果取得部２０７は、取得した「異常有り」、「異常無し」の確認結果を通知表示変更部２１０に出力する。
【００６１】
学習部２０８は、確認結果取得部２０７から「異常有り」及び「異常無し」の確認結果を受ける。学習部２０８は、確認結果取得部２０７から受けた「異常有り」及び「異常無し」の確認結果に基づいて、発生確度を修正する（ステップＳ４９）。確認結果「異常無し」、「異常有り」は、実際にプラント１０の異常に関する状態となる確度を示すものである。そのため、学習部２０８は、確認結果に基づいて発生確度を修正することができ、プラント１０がプラント１０の異常に関する状態となる場合の実際の要因が何であるかをより正確に特定することができる、すなわち、プラント１０の異常に関する状態の推定確度を高めることができる。なお、学習部２０８の行う学習は、ニューラルネットワークなどを用いて繰り返し試行して決定した発生確度を発生確度の補正に適用するものであってもよい。
また、プラント管理者が点検項目を確認した確認順を確認結果のログ情報で特定し、特定した確認順に基づき点検項目の優先度を決定することができる（ステップＳ５０）。このことで、異常がある可能性の高い項目を前の方に表示することができ、プラント管理者が重視している項目を優先的に表示できる。
【００６２】
以上、本発明の第１実施形態によるプラント管理システム１について説明した。
プラント管理システム１において、異常推定部２０２は、プラント１０の異常に関する状態を推定する。項目特定部２０３は、異常推定部２０２が推定したプラント１０の異常に関する状態に基づいて点検項目を特定する。通知部２０５は、項目特定部２０３が特定した点検項目を通知する。項目特定部２０３が特定した点検項目のうち停止時に確認すべき点検項目を特定する。確認結果取得部２０７は、通知部２０５が通知した点検項目についての確認結果を受ける。停止時項目出力部２０９は、停止時に確認すべき点検項目を出力する。
こうすることにより、異常推定部２０２がプラント１０の異常を推定し、項目特定部２０３が特定した点検項目のうち、プラント１０を停止させなければ点検することができない点検項目を特定することができる。そして、プラント１０の停止時には、停止時項目出力部２０９は、プラント１０を停止させなければ点検することができない点検項目を出力する。
よって、プラント１０の停止時に、点検担当者が停止時項目出力部２０９の出力する点検項目を確認することで、点検項目の漏れを低減することができる。
【００６３】
また、停止時項目特定部２０６は、確認結果に基づいてプラント１０の停止時に確認すべき点検項目を特定する。
こうすることにより、プラント１０の停止時に確認する点検項目をプラント管理者が特定することができ、プラント管理者にとって選択の自由度が向上する。
【００６４】
また、確認結果に基づいて、プラント１０の異常に関する状態となる要因の発生確度を修正する学習部２０８、を備える。
こうすることにより、その要因に対して起こり得る異常をより正確に検出することができる。
【００６５】
また、確認順特定部２１１は、確認結果に係るログ情報に基づいて、点検項目について確認した確認順を特定する。優先度決定部２１２は、確認順特定部２１１による確認順に基づいて、点検項目の表示する優先度を決定する。
この確認順特定部２１１によって、プラント管理者が点検項目についてどのように確認したかを知ることができる。また、この優先度決定部２１２によって、例えばプラント管理者が重要視している点検項目がわかり、その点検項目を優先的に表示させることができる。
【００６６】
＜第２実施形態＞
次に、本発明の第２実施形態によるプラント管理システム１の構成について説明する。
本発明の第２実施形態によるプラント管理システム１は、本発明の第１実施形態によるプラント管理システム１と同様に、プラント１０の停止時に確認すべき点検項目を特定し出力することで、プラント１０の停止時の点検項目に漏れがないようにするシステムである。プラント１０は、例えば、ガスタービンを用いて発電するプラントである。
また、プラント管理システム１は、プラント１０がプラント１０の異常に関する状態（例えば、プラント１０の異常状態、プラント１０の異常の予兆を示す状態など）にあるか否かをプラント１０に設けられたセンサ１０１の検出する状態量に基づいて判定するシステムであって、プラント管理システム１は、プラント１０がプラント１０の異常に関する状態にあると判定した場合、プラント１０がプラント１０の異常に関する状態になる各要因について、プラント管理者が実際に確認した確認結果に基づいて、その各要因によりプラント１０がプラント１０の異常に関する状態となる発生確度を修正するシステムである。また、プラント管理システム１は、点検項目についての確認状況に応じて、プラント管理者に通知される点検項目についての表示を変更するシステムである。
なお、本発明の第１実施形態では、プラント管理者がプラント１０の停止時に確認すべき点検項目を「保留」として選択したが、本発明の第２実施形態では、プラント１０の停止時に確認すべき点検項目を予め特定しておくため、プラント管理者が確認することが困難な点検項目を予め除外することができ、プラント管理者は確認作業を効率的に進めることができる。
【００６７】
記憶部２０１は、プラント１０の停止時に確認すべき点検項目を予め記憶する。
停止時項目特定部２０６は、記憶部２０１が予め記憶するプラント１０の停止時に確認すべき点検項目に基づいて、停止時に確認すべき点検項目を特定する。
【００６８】
次に、本発明の第２実施形態によるプラント管理システム１の処理について図１２、１１Ｂ、１１Ｃを用いて説明する。
図１２に示すように、各センサ１０１は、プラント１０の状態量を検出する。データ送信部１０２は、各センサ１０１の検出するプラント１０の状態量を通知装置２０に送信する。
そして、ステップＳ１〜Ｓ５の処理を行う。
項目特定部２０３は、現在確認できる項目があるか否かを判定する（ステップＳ５１）。
項目特定部２０３は、現在確認できる項目があると判定した場合（ステップＳ５１においてＹＥＳ）、ステップＳ６の処理に進める。そして、ステップＳ１０、Ｓ１６、「保留」に関する処理を除いて、図１１Ｂに示すステップＳ３１の処理まで進める。
また、項目特定部２０３は、現在確認できる項目がないと判定した場合（ステップＳ５１においてＮＯ）、図１１Ｃに示すステップＳ４１の処理に進める。そして、図１１Ｃに示すステップＳ４２からステップＳ５０までの処理が行われる。
【００６９】
以上、本発明の第２実施形態によるプラント管理システム１について説明した。
プラント管理システム１において、記憶部２０１は、プラント１０の停止時に確認すべき点検項目を予め記憶する。停止時項目特定部２０６は、記憶部２０１が予め記憶するプラント１０の停止時に確認すべき点検項目に基づいて、停止時に確認すべき点検項目を特定する。
こうすることにより、プラント１０の停止時に確認する点検項目を予め特定しておくため、プラント管理者が確認することが困難な点検項目を予め除外することができ、プラント管理者は確認作業を効率的に進めることができる。
【００７０】
なお、本発明の実施形態における処理は、適切な処理が行われる範囲において、処理の順番が入れ替わってもよい。
【００７１】
本発明の実施形態における記憶部２０１、その他の記憶装置のそれぞれは、適切な情報の送受信が行われる範囲においてどこに備えられていてもよい。また、記憶部２０１、その他の記憶装置のそれぞれは、適切な情報の送受信が行われる範囲において複数存在しデータを分散して記憶していてもよい。
【００７２】
本発明の実施形態について説明したが、上述のプラント管理システム１、プラント１０、通知装置２０、端末装置３０、その他の制御装置は内部に、コンピュータシステムを有していてもよい。そして、上述した処理の過程は、プログラムの形式でコンピュータが読み取り可能な記録媒体に記憶されており、このプログラムをコンピュータが読み出して実行することによって、上記処理が行われる。コンピュータの具体例を以下に示す。
図１３は、少なくとも１つの実施形態に係るコンピュータの構成を示す概略ブロック図である。
コンピュータ５は、図１３に示すように、ＣＰＵ６、メインメモリ７、ストレージ８、インターフェース９を備える。
例えば、上述のプラント管理システム１、プラント１０、通知装置２０、端末装置３０、その他の制御装置のそれぞれは、コンピュータ５に実装される。そして、上述した各処理部の動作は、プログラムの形式でストレージ８に記憶されている。ＣＰＵ６は、プログラムをストレージ８から読み出してメインメモリ７に展開し、当該プログラムに従って上記処理を実行する。また、ＣＰＵ６は、プログラムに従って、上述した各記憶部に対応する記憶領域をメインメモリ７に確保する。
【００７３】
ストレージ８の例としては、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、磁気ディスク、光磁気ディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）、半導体メモリ等が挙げられる。ストレージ８は、コンピュータ５のバスに直接接続された内部メディアであってもよいし、インターフェース９または通信回線を介してコンピュータ５に接続される外部メディアであってもよい。また、このプログラムが通信回線によってコンピュータ５に配信される場合、配信を受けたコンピュータ５が当該プログラムをメインメモリ７に展開し、上記処理を実行してもよい。少なくとも１つの実施形態において、ストレージ８は、一時的でない有形の記憶媒体である。
【００７４】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【００７５】
本発明のいくつかの実施形態を説明したが、これらの実施形態は、例であり、発明の範囲を限定しない。これらの実施形態は、発明の要旨を逸脱しない範囲で、種々の追加、省略、置き換え、変更を行ってよい。
【符号の説明】
【００７６】
１・・・プラント管理システム
１０・・・プラント
２０・・・通知装置
３０、３０ａ・・・端末装置
１０１、１０１ａ１、１０１ａ２、１０１ａ３、１０１ａｎ・・・センサ
１０２・・・データ送信部
２０１・・・記憶部
２０２・・・異常推定部
２０３・・・項目特定部
２０４・・・情報更新部
２０５・・・通知部
２０６・・・停止時項目特定部
２０７・・・確認結果取得部
２０８・・・学習部
２０９・・・停止時項目出力部
２１０・・・通知表示変更部
３０１・・・通信部
３０２・・・表示部
３０３・・・表示制御部
３０４・・・入力部
３０５・・・データベース書込部
３０６・・・表示変更受付部
【図１】
2020024568.tif 000003
【図２】
2020024568.tif 000004
【図３】
2020024568.tif 000005
【図４】
2020024568.tif 000006
【図５】
2020024568.tif 000007
【図６】
2020024568.tif 000008
【図７】
2020024568.tif 000009
【図８】
2020024568.tif 000010
【図９】
2020024568.tif 000011
【図１０】
2020024568.tif 000012
【図１１Ａ】
2020024568.tif 000013
【図１１Ｂ】
2020024568.tif 000014
【図１１Ｃ】
2020024568.tif 000015
【図１２】
2020024568.tif 000016
【図１３】
2020024568.tif 000017